(57)【要約】【課題】、廃棄物を有効利用しながら、効率よく植物を育成することのできる植物育成用資材を提供する。【解決手段】樹脂と、植物性材料とを３００℃以上の温度雰囲気中で混練し、混練物を粉砕して粒状植物育成用資材を製造する。３００℃以上の高温化の混練により、植物性材料が炭化し、その部分に保水性を持たせることができるなどの利点がある。混練物を粉砕することで、植物の生育環境に好ましい資材となり、混練物を０．１ｍｍ以上１０ｍｍ以下に粉砕することができる。樹脂には、ポリプロピレン、ポリエチレン等、植物性材料には、稲藁、籾殻、チップ、木粉、木炭、炭、硅素土又は飛び粉等を用いることができる。【選択図】図１
2012005446.tif 000002
【特許請求の範囲】
【請求項１】
樹脂と、植物性材料とを３００℃以上の温度雰囲気中で混練し、混練物を粉砕することを特徴とする粒状植物育成用資材の製造方法。
【請求項２】
前記樹脂と、前記植物性材料との混練物を０．１ｍｍ以上１０ｍｍ以下に粉砕することを特徴とする請求項１に記載の粒状植物育成用資材の製造方法。
【請求項３】
前記樹脂は、ポリプロピレン又はポリエチレンであることを特徴とする請求項１又は２に記載の粒状植物育成用資材の製造方法。
【請求項４】
前記植物性材料は、稲藁、籾殻、チップ、木粉、木炭、炭、硅素土又は飛び粉であることを特徴とする請求項１、２又は３に記載の粒状植物育成用資材の製造方法。
【発明の詳細な説明】
【技術分野】
【０００１】
本発明は、ポリプロピレン等の樹脂と、籾殻等の植物性材料とを利用して粒状の植物育成用資材を製造する方法に関する。
【背景技術】
【０００２】
従来、一般家庭や事業所等から排出される樹脂廃棄物は、ペットボトル等その一部をリサイクルしているが、そのほとんどが埋立処分場にて廃棄処理されている。また、稲作に伴って発生する稲藁、籾殻についても、近年バイオマス燃料として利用する試みがなされているものの、現状ではそのほとんどを廃棄処理している。
【０００３】
一方、近年、都市部の高層住居のベランダ等で鉢植え植物を育成することが流行しているが、ベランダ等で地上と同様に植物の育成を行うことは容易ではない。そのため、ベランダ等にて植物の育成を効率よく行うための植物育成容器や、植物育成用土壌等の開発がなされている（例えば、特許文献１、２参照）。
【先行技術文献】
【特許文献】
【０００４】
【特許文献１】特開２００７−１２４９８９号公報
【特許文献２】特開２００５−１３７３６３号公報
【発明の概要】
【発明が解決しようとする課題】
【０００５】
本発明は、上記従来の技術に鑑みてなされたものであって、樹脂廃棄物や、植物性廃棄物を有効利用しながら、効率よく植物を育成することのできる植物育成用資材を提供することを目的とする。
【課題を解決するための手段】
【０００６】
上記目的を達成するため、本発明は、粒状植物育成用資材の製造方法であって、樹脂と、植物性材料とを３００℃以上の温度雰囲気中で混練し、混練物を粉砕することを特徴とする。
【０００７】
そして、本発明によれば、樹脂と、植物性材料とを３００℃以上の温度雰囲気中で混練するため、植物性材料が炭化し、その部分に保水性を持たせることができ、混練物の保水性が向上する。また、混練物を粉砕することで、植物の生育環境に好ましい寸法に調節することができる。
【０００８】
上記粒状植物育成用資材の製造方法において、前記樹脂と、前記植物性材料との混練物を０．１ｍｍ以上１０ｍｍ以下に粉砕することができる。これによって、水耕栽培に適した植物育成用資材とすることができる。
【０００９】
上記粒状植物育成用資の製造方法において、前記樹脂を、ポリプロピレン又はポリエチレンとすることができる。また、前記植物性材料を、稲藁、籾殻、チップ、木粉、木炭、炭、硅素土又は飛び粉とすることができる。
【発明の効果】
【００１０】
以上のように、本発明によれば、廃棄物を有効利用しながら、効率よく植物を育成することのできる植物育成用資材を提供することができる。
【図面の簡単な説明】
【００１１】
【図１】本発明にかかる粒状植物育成用資材の製造方法を説明するためのフローチャートである。
【図２】本発明にかかる粒状植物育成用資材を用いた植物の育成方法を説明するための概略断面図である。
【発明を実施するための形態】
【００１２】
次に、本発明を実施するための形態について、図面を参照しながら詳細に説明する。尚、以下の説明においては、まず、本発明にかかる粒状植物育成用資材の製造方法について説明し、その後、製造した粒状植物育成用資材の利用方法について説明する。
【００１３】
図１に示すように、まず、本発明にかかる粒状植物育成用資材の材料として、樹脂廃棄物Ｒと、植物性材料Ｐとを用意する。樹脂廃棄物Ｒは、ポリプロピレン、ポリエチレン等である。また、植物性材料Ｐは、稲作に伴って発生する稲藁、籾殻、製材に伴って発生するチップ、木粉、木炭、炭、硅素土又は飛び粉（こんにゃくを製造する際の副産物）等である。
【００１４】
次に、受け入れた樹脂廃棄物Ｒ及び植物性材料Ｐに水Ｗを加えて混練機１に投入し、圧力約５０ｋｇ／ｃｍ2、３００℃以上の高圧高温下で混練する。これによって、植物性材料Ｐが炭化するとともに、樹脂廃棄物と炭化物とが均一に混合されて塊状となった混練物Ｍが生成される。尚、混練機１内の圧力は、混練機１から粘性を有する樹脂混練物Ｍが押し出し排出可能であれば５０ｋｇ／ｃｍ2程度に限定されない。また、混練機１内の温度は、３００℃以上に設定するが、この温度が高すぎるとエネルギ損失が大きくなるので、３００℃を僅かに超えた値に維持することが好ましい。
【００１５】
次に、上記混練物Ｍを、徐冷した後、粉砕機２で０．１ｍｍ以上１０ｍｍ以下に粉砕して粒状植物育成用資材Ｓを得ることができる。
【００１６】
尚、上記実施の形態においては、ポリプロピレン等の樹脂廃棄物Ｒを用いる場合について説明したが、廃棄物ではない樹脂を用いることができ、植物性材料Ｐについても、稲藁、籾殻、チップ、木粉、飛び粉等通常廃棄される物を用いたが、木炭、炭等廃棄物ではない植物性材料を用いることができることは勿論である。
【００１７】
上述のようにして得られた粒状植物育成用資材Ｓは、保水性が少なくとも３０％以上と高く、０．１ｍｍ以上１０ｍｍ以下に粉砕しているため、水耕栽培に適した植物育成用資材とすることができる。
【００１８】
次に、上記粒状植物育成用資材Ｓの利用方法について、図２を参照しながら説明する。
【００１９】
図１（ａ）に示すように、水盤３に水Ｗを張り、その上方の網目状の底を有する有底枠体４に上記粒状植物育成用資材Ｓを１００〜１３０ｍｍ程度の厚さに敷き詰め、その中に植物の種子Ｓｅを蒔く。粒状植物育成用資材Ｓそのものには肥料分がないため、肥料を粒状植物育成用資材Ｓの重量に対して１０％程度混ぜる。
【００２０】
上記状態で水耕栽培を行うと、粒状植物育成用資材Ｓは保水率が高いため、種子Ｓｅの発芽に要する水分と、上記肥料による養分を種子Ｓｅに与えることができ、種子Ｓｅの発芽を促し、発芽後の生育に寄与する。そして、図２（ｂ）に示すように、植物Ｐｌが生育して根が水Ｗに達すると、水Ｗから直接水分を補給することができ、順調に生育する。
【００２１】
上記種子Ｓｅの発芽及び植物Ｐｌが生育の際には、粒状植物育成用資材Ｓが炭化物を含むため、水の浄化作用があり、上記粒状植物育成用資材Ｓを浸した水のサンプルを採取して化学分析を行ったところ特性の元素は検出されず、２１．４℃でｐＨが６．９４であった。
【符号の説明】
【００２２】
１  混練機
２  粉砕機
３  水盤
４  有底枠体
Ｍ  混練物
Ｓ  粒状植物育成用資材
Ｓｅ  種子
Ｐ  植物性材料
Ｐｌ  植物
Ｒ  樹脂廃棄物
Ｗ  水
【図１】
2012005446.tif 000003
【図２】
2012005446.tif 000004